(57)【要約】【課題】片手で容易に持ち運び可能な工事用コーンを提供する。【解決手段】工事用コーンＡは、コーン本体１の頂部に開口部１０を形成し、該開口部には、上部に掴み部２２を設けかつ下部にコーン本体の内部に固着した吊り下げ紐３を取り付けたキャップ体２を被せた構造にしている。【選択図】図１
0003206365.tif 000002
【実用新案登録請求の範囲】
【請求項１】
コーン本体の頂部に開口部を形成し、該開口部には、上部に掴み部を設けかつ下部にコーン本体の内部に固着した吊り下げ紐を取り付けたキャップ体を被せた構造にしている、持ち運び可能な工事用コーン。
【請求項２】
請求項１において、
前記キャップ体の摘み部は、ループ形状をしている、持ち運び搬送可能な工事用コーン。
【請求項３】
請求項１において、
前記キャップ体は、コーン本体とは異なる配色にしている、持ち運び搬送可能な工事用コーン。
【請求項４】
請求項１または２において、
前記キャップ体は、蓄光塗料または夜光塗料を塗布している、持ち運び搬送可能な工事用コーン。
【請求項５】
コーン本体の頂部に開口部を形成し、該開口部には、前記吊り下げ紐を取り付けたキャップ体に替えて、ソーラ駆動式の照明器具を上部に搭載したキャップ体を被せた構造にしている、持ち運び可能な工事用コーン。
【考案の詳細な説明】
【技術分野】
【０００１】
本考案は、持ち運び可能な工事用コーンに関する。
【背景技術】
【０００２】
従来より、中空に形成された円錐形のコーン本体と基盤部とを有する工事用コーンが知られている。この工事用コーンは、工事現場や道路、駐車場等に通行路の区分けや部外者の進入禁止等を表すために使用されるが、コーン本体は厚みがあり、円錐形で滑りやすいため持ち運びが難しい。従って、片手で一つずつ持ち運ぶ必要があり、作業性が悪かった。
また、複数の工事用コーンを持ち運ぶときは、複数段に積み重ねて両手で抱き上げる必要があるが、工事用コーンを現場に設置する際に、積み重ねた工事用コーンどうしが密着してしまうと、一つずつ取り外すのが難しく、作業性を低下させていた。
【０００３】
特許文献１では、上記問題を解決するために、コーン本体の頂部に開放孔を設けるとともに、開放孔よりも大きい把手部を設けており、把手部がワイヤの一端に連結され、ワイヤの他端がコーン本体の内部と連結している工事用コーンが提案されている。
【先行技術文献】
【特許文献】
【０００４】
【特許文献１】特許公報第５２３２８０９号
【考案の概要】
【考案が解決しようとする課題】
【０００５】
しかしながら、上記文献のものは、ワイヤがコーン本体内部の曲面に沿うように螺旋状に形成されているため、ワイヤをコーン本体に収容させる構造が複雑になってしまう。また、繰り返しワイヤを引っ張って工事用コーンを持ち運ぶと、ワイヤが復元力を失って元の形状に戻らなくなってしまい、コーン本体内部にワイヤが上手く収容されないおそれもあった。
【０００６】
本考案は、上記に鑑みて提案されたものであり、その目的は、片手で容易に持ち運び可能な工事用コーンを提供することにある。
【課題を解決するための手段】
【０００７】
上記目的を達成するために、本考案に係る持ち運び可能な工事用コーンは、コーン本体の頂部に開口部を形成し、該開口部には、上部に掴み部を設けかつ下部にコーン本体の内部に固着した吊り下げ紐を取り付けたキャップ体を被せた構造にしている。
【考案の効果】
【０００８】
本考案に係る工事用コーンは、上述の構成となっているため、キャップ体を持ち上げると、コーン本体が吊り下げ紐を通じて吊り下げられることにより、片手で容易に持ち運びできる。また、複数の工事用コーンのキャップ体のそれぞれを掴んで持ち上げることで、複数の工事用コーンを束ねて一度に片手で持ち運びできる。
【図面の簡単な説明】
【０００９】
【図１】は、本考案の工事用コーンのキャップ体を持ち上げた状態を示す一実施形態の要部説明図である。
【図２】は、図１に対応した状態を示す要部縦断面図である。
【図３】は、本考案の工事用コーンの設置状態を示す斜視図である。
【図４】は、設置された状態からキャップ体を持ち上げた状態を示す斜視図である。
【図５】は、複数の工事用コーンを吊り下げて持ち運ぶ状態を示す説明図である。
【図６】は、本考案の工事用コーンを用いて道路上の立ち入り禁止区域を構成する一例を示す説明図である。
【図７】は、工事用コーンの頂部に、照明器具を搭載したキャップ体を被せた状態を示す正面図である。
【考案を実施するための形態】
【００１０】
以下に、本考案の一実施形態に係る工事用コーンについて、添付図面を参照して、説明をする。なお、一部の図では、他図に付している詳細な符号の一部を省略している。
【００１１】
本考案に係る工事用コーンＡは、図１、図３に示すように、コーン本体１の頂部に開口部１０を形成し、開口部１０には、上部に掴み部２２を設けかつ下部にコーン本体１の内部に固着した吊り下げ紐３を取り付けたキャップ体２を被せた構造になっている。
【００１２】
工事用コーンＡはこのような構成となっているため、図１に示すように、キャップ体２を持ち上げると、コーン本体１が吊り下げ紐３を通じて吊り下げられて、片手で容易に持ち運びできる。また、図５に示すように、複数の工事用コーンＡのキャップ体２のそれぞれを掴んで持ち上げることで、複数の工事用コーンＡを束ねて一度に片手で持ち運びできる。
【００１３】
ついで、工事用コーンＡの詳細な構造について、添付図面を参照して説明する。
【００１４】
本実施形態において、工事用コーンＡの高さ寸法は、７０ｃｍ、基盤部４は一辺が４０ｃｍにしてあるが、これに限定されることはない。工事用コーンＡは、ポリエチレンにより形成されており、コーン本体１と基盤部４とは、一体成形された中空の構造体になっている。また、コーン本体１には、必要に応じて注意等を喚起させる模様を設けてもよい。
【００１５】
コーン本体１の下部には、基盤部４を設けており、コーン本体１の頂部に設けた開口部１０には、キャップ体２の本体２１を乗せ置きする開口縁１２を設けている。
【００１６】
キャップ体２は、円盤状の本体２１の上部にループ形状の掴み部２２を設け、本体２１の下部には突出部２３を形成した栓状に形成されており、図２に示すように、突出部２３の略中央に吊り下げ紐３の上端３Ａが固着具５により固着され、突出部２３から十分な長さの吊り下げ紐３が垂下されている。その吊り下げ紐３の下端３Ｂがコーン本体１の内部に形成された紐収容部１１の底板１１ａに固着具５により固着されている。
【００１７】
吊り下げ紐３は、鋼線のワイヤ、ゴム、編組紐などの強靭な素材が望まれるが、キャップ体２が頂部の開口部１０に被せられた際には、容易に変形してコーン本体１の開口部１０の内方に収納される柔軟さが望まれる。
【００１８】
基盤部４は、略矩形状に形成されており、その中央部は、コーン本体１の底面の形状に開口している。基盤部４は、工事用コーンＡが、倒れないよう安定して設置されるための寸法を有している。
【００１９】
このような構造であれば、キャップ体２の下部から垂下させた吊り下げ紐３の全体が、コーン本体１の開口部１０の内部の紐収容部１１に収容されるようにして、キャップ体２をコーン本体１の開口部１０に栓のように被せれば、図３に示すように、工事用コーンＡは、従前の工事用コーンと同様に道路上等に設置して使用できる。
【００２０】
一方、キャップ体２の掴み部２２に指を引っ掛けるなどして、図４に示すように、キャップ体２をコーン本体１の開口部１０から抜き出せば、それに伴って吊り下げ紐３が引き伸ばされ、コーン本体１を吊り下げて搬送できる。そのため、図５に示すように、それぞれのキャップ体２を束ねて片手で持ち上げれば、複数の工事用コーンＡを搬送する場合、容易に搬送することができる。
【００２１】
また、キャップ体２の上部に設けた掴み部２２は、指で掴める形状や構造であればよいが、ループ形状に形成したものでは、そこに指を引っ掛けて持ち上げることができるので便利である。さらに、複数の工事用コーンＡ・・・を道路上に列状に並べ、図６に示したように、掴み部２２にテープ６を通せば、従来のような一定寸法のコーン連結バーを使用することなく、長さ制限のないテープ６を張って立ち入り禁止エリア等を容易に構成することができるので、すこぶる便利である。
【００２２】
なお、本実施形態における工事用コーンＡ、コーン本体１、キャップ体２、吊り下げ紐３、基盤部４、固着具５の形状または構造は、上述の実施形態に限定されることはない。たとえば、コーン本体１は角錐形でもよく、基盤部４は円形でもよい。また、工事用コーンＡの材質もポリエチレンに限定されることはなく、ゴムでもよい。
【００２３】
コーン本体１は、図例のような紐収容部１１の底板１１ａを設けず、吊り下げ紐３の下端３Ｂが、コーン本体１の内部のいずれかに固着されたり、フック等を用いてコーン本体１の内部に引っ掛ける構成でもよい。この構成の場合、コーン本体１の内部空間に紐が収容される。
【００２４】
キャップ体２は、コーン本体１とは異なる配色とされてもよい。これにより、作業者等がキャップ体２とコーン本体１とを容易に見分けることができる。
【００２５】
また、キャップ体２は、蓄光塗料または夜光塗料を塗布されてもよい。これにより、夜間であっても、キャップ体２および工事用コーンＡの視認が容易である。
【００２６】
さらに、キャップ体２は、コーン本体１とは別の材料で形成してもよい。また、本実施形態においては、キャップ体２は、本体２１と掴み部２２と突出部２３とが一体成形された構造体とされるが、別体として形成されたものを組み合わせた構成でもよい。たとえば、本体２１と突出部２３とを樹脂で一体成形し、その本体２１の上部に、金属材料で形成した掴み部２２を固着させる構成でもよい。
【００２７】
なお、キャップ体２と開口縁１２に位置合わせの突起と凹所（不図示）とを対応して設けてもよい。このような構成であれば、キャップ体２を回転させて突起と凹所の位置合わせが合致したときに、キャップ体２が開口部１０から取り外すことができる。また、キャップ体２の本体２１と開口部１０の開口縁１２の一方に磁石を設け、他方に磁性体を取り付けることにより、キャップ体２が開口部１０に被された際には、磁力を利用して、容易に外れないような構造にしてもよい。さらに、キャップ体２の突出部２３にねじ山を形成し、開口縁１２の内面にねじ溝を形成してもよく、このような構成の場合、キャップ体２を開口部１０にねじ込むことで、より強力にキャップ体２はコーン本体１に固定できる。
【００２８】
また、吊り下げ紐３の上端３Ａおよび下端３Ｂの固着方法は、本実施形態に限定されることはない。吊り下げ紐３は、固着具５を用いずに接着剤等で固着されてもよい。また、キャップ体２や紐収容部１１に、吊り下げ紐３を結びとめるためのループ形状の通し穴部が設けられてもよく、さらに、吊り下げ紐３の上端３Ａや下端３Ｂにフック状の部材やナスカン等を設けて、吊り下げ紐３が通し穴部に固定される構成でもよい。このような構成の場合、吊り下げ紐３はコーン本体１やキャップ体２から取り外し可能となる。
【００２９】
上述した吊り下げ紐３がコーン本体１やキャップ体２から取り外し可能な構造にした場合は、吊り下げ紐３の上端３Ａか下端３Ｂか一方を取り外すことにより、コーン本体１とキャップ体２との連結を解除することができる。キャップ体２を取り外し、コーン本体１の開口部１０に、キャップ体２に替えて、図７に示すように、ソーラ駆動式のＬＥＤ等の照明器具７１や投光器等を上部に搭載したキャップ体７を被せてもよい。このようなものでは、照明器具７１はソーラ駆動式であるので、電源供給設備のない場所でも照明することができ、工事用コーンＡを搬送する場合は、照明器具７１を上部に搭載したキャップ体７をコーン本体１の開口部１０から取り外し、再び吊り下げ紐３をコーン本体１とキャップ体２とに取り付けて連結させれば、工事用コーンＡを片手で持ち運びできる。
【符号の説明】
【００３０】
Ａ      工事用コーン
１      コーン本体
１０    開口部
２      キャップ体
２２    掴み部
３      吊り下げ紐
【図１】
0003206365.tif 000003
【図２】
0003206365.tif 000004
【図３】
0003206365.tif 000005
【図４】
0003206365.tif 000006
【図５】
0003206365.tif 000007
【図６】
0003206365.tif 000008
【図７】
0003206365.tif 000009
【手続補正書】
【提出日】平成28年7月14日(2016.7.14)
【手続補正１】
【補正対象書類名】実用新案登録請求の範囲
【補正対象項目名】全文
【補正方法】変更
【補正の内容】
【実用新案登録請求の範囲】
【請求項１】
コーン本体の頂部に開口部を形成し、該開口部には、上部に掴み部を設けかつ下部にコーン本体の内部に固着した吊り下げ紐を取り付けたキャップ体を被せた構造にしている、持ち運び可能な工事用コーン。
【請求項２】
請求項１において、
前記キャップ体の掴み部は、ループ形状をしている、持ち運び可能な工事用コーン。
【請求項３】
請求項１において、
前記キャップ体は、コーン本体とは異なる配色にしている、持ち運び可能な工事用コーン。
【請求項４】
請求項１または２において、
前記キャップ体は、蓄光塗料または夜光塗料を塗布している、持ち運び可能な工事用コーン。
【請求項５】
コーン本体の頂部に開口部を形成し、該開口部には、吊り下げ紐を取り付けたキャップ体に替えて、ソーラ駆動式の照明器具を上部に搭載したキャップ体を被せた構造にしている、持ち運び可能な工事用コーン。